【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
画像形成装置の出力物の画像品質を評価する評価方法であって、
一頁内に任意の同一濃度の画像を形成する画像データを前記画像形成装置に出力し、
前記画像データに対して前記画像形成装置が出力した出力物の画像面に参照ポイントを設定して、前記参照ポイントの画像の反射特性を測定し、
前記出力物の画像面に、前記参照ポイントとは異なる任意の測定ポイントを設定して、前記測定ポイントの画像の反射特性を測定し、
前記参照ポイントと前記測定ポイントの距離と反射特性の差に基づき、前記画像品質を評価することを特徴とする評価方法。
【請求項２】
前記距離と反射特性の差の組み合わせと、予め主観評価により求めた面内一様性の可否境界を示す特性曲線から、前記画像品質を評価することを特徴とする請求項1に記載された評価方法。
【請求項３】
さらに、前記可否境界を示す特性曲線を複数使用して、前記画像品質をレベル判定することを特徴とする請求項2に記載された評価方法。
【請求項４】
画像形成装置の出力物の画像品質を評価する評価方法であって、
一頁内に任意の同一濃度の画像を形成する画像データを前記画像形成装置に出力し、
前記画像データに対して前記画像形成装置が出力した出力物の画像面に複数の測定ポイントを設定して、前記複数の測定ポイントの画像の反射特性を測定し、
前記複数の測定ポイントの一つを参照ポイントに設定し、
前記参照ポイントと前記複数の測定ポイントの距離と反射特性の差に基づき、前記画像品質を評価することを特徴とする評価方法。
【請求項５】
前記距離と反射特性の差の組み合わせと、予め主観評価により求めた面内一様性の可否境界を示す特性曲線から、前記面内一様性の可領域にある前記組み合わせの比率を計算し、前記比率と予め定めた閾値の比較により前記画像品質を評価することを特徴とする請求項4に記載された評価方法。
【請求項６】
さらに、前記出力物上で前記参照ポイントを含む直線に沿う複数の前記測定ポイントについて、前記距離と反射特性の差の組み合わせが一つでも前記面内一様性の否領域にある場合は警告を発することを特徴とする請求項5に記載された評価方法。
【請求項７】
画像形成装置の出力物の画像品質を評価する評価装置であって、
一頁内に任意の同一濃度の画像を形成する画像データを前記画像形成装置に出力する出力手段と、
前記画像データに対して前記画像形成装置が出力した出力物の画像面に参照ポイントを設定して、前記参照ポイントの画像の反射特性を測定し、前記出力物の画像面に、前記参照ポイントとは異なる任意の測定ポイントを設定して、前記測定ポイントの反射特性を測定する測定手段と、
前記参照ポイントと前記測定ポイントの距離と反射特性の差に基づき、前記画像品質を評価する評価手段とを有することを特徴とする評価装置。
【請求項８】
画像形成装置の出力物の画像品質を評価する評価装置であって、
頁全面に任意の同一画像を形成する画像データを前記画像形成装置に出力する出力手段と、
前記画像データに対して前記画像形成装置が出力した出力物の画像面に複数の測定ポイントを設定して、前記複数の測定ポイントの反射特性を測定する測定手段と、
前記複数の測定ポイントの一つを参照ポイントに設定する設定手段と、
前記参照ポイントと前記複数の測定ポイントの距離と反射特性の差に基づき、前記画像品質を評価する評価手段とを有することを特徴とする評価装置。
【請求項９】
情報処理装置を制御して、請求項1から請求項6の何れか一項に記載された画像品質の評価処理を実現することを特徴とするプログラム。
【請求項１０】
請求項9に記載されたプログラムが記録されたことを特徴とするコンピュータが読み取り可能な記録媒体。
【手続補正２】
【補正対象書類名】明細書
【補正対象項目名】０００７
【補正方法】変更
【補正の内容】
【０００７】
本発明にかかる画像形成装置の出力物の画像品質を評価する評価方法は、一頁内に任意の同一濃度の画像を形成する画像データを前記画像形成装置に出力し、前記画像データに対して前記画像形成装置が出力した出力物の画像面に参照ポイントを設定して、前記参照ポイントの画像の反射特性を測定し、前記出力物の画像面に、前記参照ポイントとは異なる任意の測定ポイントを設定して、前記測定ポイントの画像の反射特性を測定し、前記参照ポイントと前記測定ポイントの距離と反射特性の差に基づき、前記画像品質を評価することを特徴とする。
【手続補正３】
【補正対象書類名】明細書
【補正対象項目名】０００８
【補正方法】変更
【補正の内容】
【０００８】
また、一頁内に任意の同一濃度の画像を形成する画像データを前記画像形成装置に出力し、前記画像データに対して前記画像形成装置が出力した出力物の画像面に複数の測定ポイントを設定して、前記複数の測定ポイントの画像の反射特性を測定し、前記複数の測定ポイントの一つを参照ポイントに設定し、前記参照ポイントと前記複数の測定ポイントの距離と反射特性の差に基づき、前記画像品質を評価することを特徴とする。
【手続補正４】
【補正対象書類名】明細書
【補正対象項目名】０００９
【補正方法】変更
【補正の内容】
【０００９】
本発明にかかる画像形成装置の出力物の画像品質を評価する評価装置は、一頁内に任意の同一濃度の画像を形成する画像データを前記画像形成装置に出力する出力手段と、前記画像データに対して前記画像形成装置が出力した出力物の画像面に参照ポイントを設定して、前記参照ポイントの画像の反射特性を測定し、前記出力物の画像面に、前記参照ポイントとは異なる任意の測定ポイントを設定して、前記測定ポイントの反射特性を測定する測定手段と、前記参照ポイントと前記測定ポイントの距離と反射特性の差に基づき、前記画像品質を評価する評価手段とを有することを特徴とする。
【手続補正５】
【補正対象書類名】明細書
【補正対象項目名】００１０
【補正方法】変更
【補正の内容】
【００１０】
また、頁全面に任意の同一画像を形成する画像データを前記画像形成装置に出力する出力手段と、前記画像データに対して前記画像形成装置が出力した出力物の画像面に複数の測定ポイントを設定して、前記複数の測定ポイントの反射特性を測定する測定手段と、前記複数の測定ポイントの一つを参照ポイントに設定する設定手段と、前記参照ポイントと前記複数の測定ポイントの距離と反射特性の差に基づき、前記画像品質を評価する評価手段とを有することを特徴とする。
【手続補正６】
【補正対象書類名】明細書
【補正対象項目名】００１４
【補正方法】変更
【補正の内容】
【００１４】
パーソナルコンピュータ(PC)1にインストールされた画像品質評価プログラム11は、ハードディスクドライブ(HDD)2などの記憶メディアに格納された評価用チャートである画像データ12、測定データセット13などを読み出すことが可能である。
【手続補正７】
【補正対象書類名】明細書
【補正対象項目名】００１６
【補正方法】変更
【補正の内容】
【００１６】
また、評価チャートの分光反射率特性を入力するため、PC1のインタフェイスに分光測定器3を接続する。分光測定器3は、パッチ数が多いため、自動走査型が望ましいが、それに限定するものではない。また、画像品質評価プログラム11の評価結果を表示するため、PC1のインタフェイスにモニタ4を接続する。さらに、評価用画像データに基づく画像（出力サンプル6）を形成するために、PC1のインタフェイスに評価対象の画像形成装置5を接続する。
【手続補正８】
【補正対象書類名】明細書
【補正対象項目名】００３９
【補正方法】変更
【補正の内容】
【００３９】
以下、本発明にかかる実施例3の面内一様性の評価処理を説明する。なお、実施例3において、実施例1、2と略同様の構成については、同一符号を付して、その詳細説明を省略する。
【手続補正９】
【補正対象書類名】明細書
【補正対象項目名】００４２
【補正方法】変更
【補正の内容】
【００４２】
以下、本発明にかかる実施例4の面内一様性の評価処理を説明する。なお、実施例4において、実施例1〜3と略同様の構成については、同一符号を付して、その詳細説明を省略する。
【手続補正１０】
【補正対象書類名】明細書
【補正対象項目名】００４３
【補正方法】変更
【補正の内容】
【００４３】
電子写真方式のプリンタの場合、面内一様性の不均一傾向は感光ドラムピッチによるむらパターン、帯電器の汚れによるむらパターン、現像器に依存するむらパターンというように、ある程度、原因に対応するむらパターンを予想することができる。従って、実施例3の総当り計算まで行わなくとも、面内一様性の評価は可能である。